(57)【要約】【課題】レイヤージャンプの直前または直後において、情報の再生が中断するのを防止した光ディスク装置を提供する。【解決手段】レイヤージャンプを行う場合、制御部２０は、保存したFBAL値をフラッシュメモリ２３から読み取る。制御部２０は、バランス調整部１４で印加するオフセット電圧の電圧値をそのFBAL値に調整してから、補正レンズ７を中間位置に移動させるようモータドライバ２２に指示する。これにより、バランス調整部１４でオフセット電圧が印加されたFE信号は図４（B）に示す波形となり、第一層Ｌ０におけるフォーカスサーボの可能な範囲ΔXが広くなっている。そのため、レイヤージャンプの直前にフォーカスサーボが外れてしまったり、レイヤージャンプの直後にフォーカスサーボをオンできなかったりするのを防止できる。【選択図】  図４
2010118093.tif 000002
【特許請求の範囲】
【請求項１】
複数の情報記録層を有する光ディスクに対してレーザ光を、球面収差を補正するための補正レンズと対物レンズとを介して照射し、その反射光を検出するピックアップと、
前記反射光に基づくフォーカスエラー信号を生成し、調整された電圧値を示すオフセット電圧を前記フォーカスエラー信号に印加するオフセット手段と、
前記対物レンズを前記光ディスクの情報記録面と接離する接離方向に移動させる第１移動手段と、
前記オフセット手段から出力される前記フォーカスエラー信号に基づいて前記第１移動手段を駆動し、前記対物レンズを前記接離方向に追随させるフォーカスサーボを行うフォーカスサーボ手段と、を備え、
前記フォーカスサーボ手段は、一方の記録層に対して前記フォーカスサーボを行う位置から他方の記録層に対して前記フォーカスサーボを行う位置へ前記対物レンズを前記第１移動手段に移動させるレイヤージャンプを実行する、光ディスク装置において、
一方の記録層および他方の記録層毎に予め算出した最適な球面収差の補正値の中間値に対応する中間位置に前記補正レンズを移動させる第２移動手段を備え、
前記オフセット手段は、
各記録層に対する情報の記録、消去又は読取に先立って、前記補正レンズを前記中間位置に移動させた状態で前記対物レンズと前記光ディスクの情報記録面との相対距離を前記第１移動手段に変化させることによって生成される、記録層毎にＳ字状の波形を示す前記フォーカスエラー信号を測定し、
その測定結果から、前記フォーカスエラー信号の上下の振幅のバランスが一方の記録層と他方の記録層で同じになる前記オフセット電圧の電圧値をバランス値として算出し、
前記フォーカスサーボ手段は、
各記録層に対する情報の記録、消去又は読取時、前記レイヤージャンプの実行に先立って、前記オフセット電圧を前記バランス値に調整してから前記中間位置に前記補正レンズを前記第２移動手段に変位させ、一方の記録層に対する前記フォーカスサーボをオフし、
前記レイヤージャンプを実行して前記レイヤージャンプが終了すると、他方の記録層に対する前記フォーカスサーボをオンすることを特徴とする光ディスク装置。
【請求項２】
前記光ディスクは、２層式のＤＶＤまたは２層式のブルーレイディスクであることを特徴とする請求項１に記載の光ディスク装置。
【請求項３】
前記オフセット手段は、一方の記録層の前記フォーカスエラー信号の上下の振幅の内小さい方の振幅と、他方の記録層の前記フォーカスエラー信号の上下の振幅の内大きい方の振幅と、に基づいて、前記バランス値を算出することを特徴とする請求項２に記載の光ディスク装置。
【請求項４】
前記フォーカスサーボ手段が前記オフセット電圧を前記バランス値に調整するのを禁止するか許可するかの切り替えを受け付ける操作手段を備えることを特徴とする請求項１から３のいずれかに記載の光ディスク装置。
【発明の詳細な説明】
【技術分野】
【０００１】
本発明は、複数の情報記録層を有する光ディスクに対して情報の記録、消去又は読取を行う光ディスク装置に関し、特に、レイヤージャンプを行う光ディスク装置に関するものである。
【背景技術】
【０００２】
従来から、複数の情報記録層を有する光ディスク、例えば、片面２層式ブルーレイディスクに対して情報の記録、読取、又は消去を行う光ディスク装置が一般に広く普及している。
【０００３】
２層式の光ディスクでは、各情報記録層（第一層，第二層）に対して情報の記録、読取、又は消去が行われる。そして、光ディスクには、各層の情報記録面を保護する所定の厚さの透過層がカバー層として各情報記録層の情報記録面を覆うように形成されている。光ディスク装置では、このカバー層を介して各情報記録層の情報記録面に読取パワー、記録パワー又は消去パワーのレーザ光を照射している。これにより、光ディスク装置では、光ディスクに対して画像データや音声データの読取、記録、又は消去を行うようになっている。
【０００４】
また、この読取時や記録時や消去時において、光ディスク装置では、レーザ光の反射光から生成されるフォーカスエラー信号に基づいて対物レンズを光ディスクの情報記録面と接離する方向に追随させ、光ディスクの所定層の情報記録面にレーザ光を合焦させるフォーカスサーボを行っている。また、光ディスク装置は、ピックアップが一方の情報記録層に対して情報の読取や記録や消去を行っている状態から、他方の情報記録層に対して情報の読取や記録や消去を行う状態へ移行するために、「レイヤージャンプ」と呼ばれる動作を行っている。
【０００５】
ここで、レイヤージャンプの際、別の情報記録層に移ることになるため、上記カバー層の厚みが変わって、球面収差の値が変わる。かかる球面収差は、レーザ光の焦点が光軸上の一点に結像せず、奥行き方向にずれて結像する現象である。これにより情報記録面では焦点が丸く広がるため情報読取り感度や情報記録精度や情報消去精度を低下させてしまう問題が発生する。
【０００６】
そこで、従来の光ディスク装置では、球面収差を補正する補正レンズをレーザ光の光路に設け、レイヤージャンプの際、一方の情報記録層および他方の情報記録層毎に予め算出した最適な補正値の中間値に対応した中間位置に補正レンズを合わせている。そして、従来の光ディスク装置は、一方の情報記録層に対するフォーカスサーボをオフし、一方の情報記録層から他方の情報記録層へレイヤージャンプを行う。レイヤージャンプが終了すると、従来の光ディスク装置は、他方の情報記録層に対するフォーカスサーボをオンし、他方の情報記録層に対する情報の記録、読取、又は消去を開始する。
なお、特許文献１では、ピックアップのフォーカシング制御装置が提案されている。
【特許文献１】特開２００３−０７７１４２公報
【発明の開示】
【発明が解決しようとする課題】
【０００７】
しかしながら、上記中間値に対応した位置に補正レンズを合わせた場合、フォーカスエラー信号の波形の上下の振幅のバランスが一方の情報記録層又は他方の情報記録層で非常に偏ることがあった。この振幅はフォーカスサーボの可能な範囲を意味するため、バランスが偏っている情報記録層では、レイヤージャンプの直前にフォーカスサーボが外れてしまったり、レイヤージャンプの直後にフォーカスサーボをオンできなかったりするおそれがあった。このようにフォーカスサーボが外れたりフォーカスサーボをオンできなかったりすると、光ディスクに対する情報の記録、読取、又は消去が中断されてしまう。
よって、従来の光ディスク装置では、レイヤージャンプの直前または直後において、情報の記録、読取、又は消去が中断されてしまうという問題があった。
【０００８】
本発明はこのような従来の課題を解決しようとするものであり、レイヤージャンプの直前または直後において、情報の記録、読取、又は消去が中断するのを防止した光ディスク装置を提供することを目的とする。
【課題を解決するための手段】
【０００９】
本発明の光ディスク装置は、前記課題を解決するために以下の構成を備えている。
【００１０】
（１）複数の情報記録層を有する光ディスクに対してレーザ光を、球面収差を補正するための補正レンズと対物レンズとを介して照射し、その反射光を検出するピックアップと、
前記反射光に基づくフォーカスエラー信号を生成し、調整された電圧値を示すオフセット電圧を前記フォーカスエラー信号に印加するオフセット手段と、
前記対物レンズを前記光ディスクの情報記録面と接離する接離方向に移動させる第１移動手段と、
前記オフセット手段から出力される前記フォーカスエラー信号に基づいて前記第１移動手段を駆動し、前記対物レンズを前記接離方向に追随させるフォーカスサーボを行うフォーカスサーボ手段と、を備え、
前記フォーカスサーボ手段は、一方の記録層に対して前記フォーカスサーボを行う位置から他方の記録層に対して前記フォーカスサーボを行う位置へ前記対物レンズを前記第１移動手段に移動させるレイヤージャンプを実行する、光ディスク装置において、
一方の記録層および他方の記録層毎に予め算出した最適な球面収差の補正値の中間値に対応する中間位置に前記補正レンズを移動させる第２移動手段を備え、
前記オフセット手段は、
各記録層に対する情報の記録、消去又は読取に先立って、前記補正レンズを前記中間位置に移動させた状態で前記対物レンズと前記光ディスクの情報記録面との相対距離を前記第１移動手段に変化させることによって生成される、記録層毎にＳ字状の波形を示す前記フォーカスエラー信号を測定し、
その測定結果から、前記フォーカスエラー信号の上下の振幅のバランスが一方の記録層と他方の記録層で同じになる前記オフセット電圧の電圧値をバランス値として算出し、
前記フォーカスサーボ手段は、
各記録層に対する情報の記録、消去又は読取時、前記レイヤージャンプの実行に先立って、前記オフセット電圧を前記バランス値に調整してから前記中間位置に前記補正レンズを前記第２移動手段に変位させ、一方の記録層に対する前記フォーカスサーボをオフし、
前記レイヤージャンプを実行して前記レイヤージャンプが終了すると、他方の記録層に対する前記フォーカスサーボをオンすることを特徴とする。
【００１１】
この構成では、各記録層に対する情報の記録、消去又は読取を行う前の第１の場面と、各記録層に対する情報の記録、消去又は読取を行う第２の場面と、に分かれる。
まず、第１の場面において、補正レンズは中間位置に変位し、対物レンズは光ディスクの情報記録面と接離する方向へ移動する。フォーカスサーボ手段は、この対物レンズの移動により生成されるフォーカスエラー信号を測定し、バランス値を算出する。
次に、第２の場面において、フォーカスサーボ手段は、オフセット手段で印加するオフセット電圧の電圧値をバランス値に調整してから、補正レンズを中間位置に移動させる。これにより、オフセット手段でオフセット電圧が印加されたフォーカスエラー信号の波形は、フォーカスエラー信号の波形の上下の振幅のバランスが一方の層及び他方の層で同じになる。そして、一方の情報記録層又は他方の情報記録層でフォーカスサーボの可能な範囲が広くなる。そのため、レイヤージャンプの直前にフォーカスサーボが外れてしまったり、レイヤージャンプの直後にフォーカスサーボをオンできなかったりするのを防止できる。
従って、レイヤージャンプの直前または直後において、光ディスクに対する情報の記録、読取、又は消去が中断するのを防止できる。
【００１２】
（２）前記光ディスクは、２層式のＤＶＤまたは２層式のブルーレイディスクであることを特徴とする。
【００１３】
（３）前記オフセット手段は、一方の記録層の前記フォーカスエラー信号の上下の振幅の内小さい方の振幅と、他方の記録層の前記フォーカスエラー信号の上下の振幅の内大きい方の振幅と、に基づいて、前記バランス値を算出することを特徴とする。
【００１４】
この構成では、上記（１）においてバランス値を算出するパラメーターの一例を明示している。
【００１５】
（４）前記フォーカスサーボ手段が前記オフセット電圧を前記バランス値に調整するのを禁止するか許可するかの切り替えを受け付ける操作手段を備えることを特徴とする。
【００１６】
この構成により、ユーザは、オフセット電圧をバランス値に調整するかどうかを自分の使用方法に応じて操作手段で切り替えることができる。従って、ユーザの使い勝手を向上できる。
【発明の効果】
【００１７】
この発明によれば、レイヤージャンプの直前または直後において、光ディスクに対する情報の記録、読取、又は消去が中断するのを防止できる。
【発明を実施するための最良の形態】
【００１８】
以下、本発明の実施形態である光ディスク装置について説明する。
【００１９】
図１は、本発明の実施形態である光ディスク装置の主要部の構成を示すブロック図である。図２は、図１におけるピックアップの内部の構成を加えたブロック図である。光ディスク装置１０１は、所謂ブルーレイプレーヤである。光ディスク装置１０１は、図１に示すように、RFアンプ１３と、バランス調整部１４と、フォーカスサーボ回路１６と、モータドライバ１７と、スイッチ１８と、アクチュエータドライバ１９と、制御部２０と、モータドライバ２２と、フラッシュメモリ２３と、操作部２４と、ピックアップ２６と、ステッピングモータ２７と、リードスクリュー２８と、再生部３０と、を備える。
【００２０】
ピックアップ２６は、対物レンズ４と、レーザーダイオード５と、補正レンズ６、７と、リードスクリュー８と、支持部材９と、ステッピングモータ１０と、ビームスプリッタ１１と、受光センサ１２と、フォーカスアクチュエータ１５と、を備える。
【００２１】
光ディスク１００は、片面２層式の光ディスクであり、例えばＤＶＤ（ディジタルバーサタイルディスク）、またはブルーレイディスクである。光ディスク１００には、画像データや音声データなどの情報を記録する第一層Ｌ０と、同情報を記録する第二層Ｌ１と、情報記録層を保護する透明なカバー層３と、が設けられている。
【００２２】
カバー層３の下方には、リードスクリュー２８に嵌合されたピックアップ２６が設けられており、ステッピングモータ２７が回転することにより対物レンズ４は光ディスク１００の半径方向に移送される。
【００２３】
ここで、ピックアップ２６の内部構成について図２を用いて説明する。レーザーダイオード５は、レーザ光を出力する光源である。対物レンズ４は、レーザ光を集光するレンズであり、光ディスク１００に対するレーザ光の照射位置を調節する。フォーカスアクチュエータ１５は、対物レンズ４を光ディスク１００に接離する方向に移動させる。受光センサ１２は、４分割のフォトダイオードＡ，Ｂ，Ｃ，Ｄと、この前後又は左右に配置されたフォトダイオードＥ，Ｆとから構成される。
【００２４】
レーザーダイオード５から出射されたレーザ光は、補正レンズ６と７を通過し、ビームスプリッタ１１で反射する。反射したレーザ光は、対物レンズ４を通過して、第１の記録層L０または第１の記録層L１に照射される。各記録層で反射された反射光は、対物レンズ４とビームスプリッタ１１を通過して、受光センサ１２で受光される。受光センサ１２は、フォトダイオードＡ，Ｂ，Ｃ，Ｄで検出した検出信号Ａ，Ｂ，Ｃ，Ｄと、フォトダイオードＥ，Ｆで検出した検出信号Ｅ，Ｆと、をＲＦアンプ１３に供給する。
【００２５】
補正レンズ６と７は、球面収差を補正するためのレンズであり、２枚でエキスパンダを構成する。補正レンズ６は固定であるが、補正レンズ７はリードスクリュー８と嵌合された支持部材９に取り付けられており、ステッピングモータ１０が回転することにより光軸方向に移動してレーザ光の焦点における球面収差を補正する。
【００２６】
ＲＦアンプ１３は、受光センサ１２から供給された検出信号Ａ，Ｂ，Ｃ，Ｄを用いて（Ａ＋Ｂ＋Ｃ＋Ｄ）の演算を行い、この演算した結果であるＲＦ信号を生成する。さらに、ＲＦアンプ１３は、オフセット電圧の印加とＲＦ信号の増幅とを行う。そして、ＲＦアンプ１３は、ＲＦ信号を図示しない波形整形回路を用いて波形整形することにより２値化ＲＦ信号に変換する。そして、ＲＦアンプ１３は、この変換した２値化ＲＦ信号を再生部３０に供給する。
【００２７】
また、ＲＦアンプ１３は、受光センサ１２から供給された検出信号Ｅ，Ｆを用いて（Ｅ−Ｆ）の演算を行い、この演算結果であるトラッキングエラー信号（以下、ＴＥ信号という。）を生成する。さらに、ＲＦアンプ１３は、オフセット電圧の印加とＴＥ信号の増幅とを行う。そして、ＲＦアンプ１３は、ＴＥ信号をトラッキングサーボ回路（不図示）に供給する。
【００２８】
さらに、ＲＦアンプ１３は、受光センサ１２から供給された検出信号Ａ，Ｂ，Ｃ，Ｄを用いて（Ａ＋Ｃ）−（Ｂ＋Ｄ）の演算を行い、この演算結果であるフォーカスエラー信号（以下、ＦＥ信号という。）を生成し、バランス調整部１４に出力する。
【００２９】
バランス調整部１４は、調整された電圧値を示すオフセット電圧の印加とＦＥ信号の増幅とを行ってから、ＦＥ信号をフォーカスサーボ回路１６に供給する。このオフセット電圧には、ＦＥ信号をプラス極側に変位させるものとマイナス極側に変位させるものとがあり、ピックアップ２６やその周辺回路のもつオフセットによって生じるデフォーカスをキャンセルする。このオフセット電圧の値は、例えば１０mVであり、ＦＢＡＬ（フォーカスバランス）調整によって与えられ、ＦＢＡＬ調整値に対応する。調整されたＦＢＡＬ調整値はフラッシュメモリ２３に格納され、制御部２０はそのＦＢＡＬ調整値に対応するオフセット電圧の値をバランス調整部１４に設定する。
【００３０】
フォーカスサーボ回路１６は、バランス調整部１４から入力されたＦＥ信号に基づいて、ＦＥ信号の値を０（基準レベル）にするためのフォーカシングサーボ信号を生成し、スイッチ１８の接点ａを通じてアクチュエータドライバ１９に出力する。
【００３１】
アクチュエータドライバ１９は、入力された信号を増幅した駆動電圧をフォーカスアクチュエータ１５に供給し、対物レンズ４を光ディスク１００に対して光軸方向に移動し、光ディスク１００の情報記録面にレーザ光を合焦させるフォーカスサーボ制御を行う。
【００３２】
このフォーカスサーボ制御を行うことで、所望のトラックにレーザ光の焦点を合わせることができる。さらに、光ディスク装置１０１では、スピンドルモータで光ディスク１００を目標回転数で回転させるスピンドルサーボ制御と、レーザ光を所望のトラックに追随させるトラッキングサーボ制御とを行っているが、図１、図２では図示を省略している。
【００３３】
次に、再生部３０は、ＲＦアンプ１３から供給された２値化ＲＦ信号に対して復調処理を行い、オーディオ・ビデオデータを生成し、この生成したオーディオ・ビデオデータを（例えばＭＰＥＧで）デコードする。さらに、再生部３０は、オーディオ・ビデオデータをＤ／Ａ変換し、装置本体に接続されるテレビジョン等に出力する。ユーザは、このテレビジョンにおいて、オーディオ・ビデオデータに基づく音声・映像を視聴する。
【００３４】
操作部２４は、ユーザからの操作入力を受け付ける複数のキーが設けられている。複数のキーには、例えばセットされている光ディスクの再生を受け付ける再生キー、その光ディスクのタイムサーチ再生を受け付けるタイムサーチ再生キーがある。操作されたキーに応じた信号（即ち命令）は、制御部２０に伝送される。タイムサーチ再生とは、光ディスクに記録されているデータの全再生時間の内から所定の再生時刻を入力して、途中から頭だしする再生である。この所定の再生時刻とは、光ディスクに記録されているデータをその先頭から再生して経過した時間に相当する。
【００３５】
制御部２０は、例えばマイクロコンピュータで構成される。制御部２０は、制御プログラムを記憶するＲＯＭと、その制御プログラムで処理されるデータを展開するためのワークフィールドとしてのＲＡＭと、動作実行状態などを保持するレジスタとを内蔵する（いずれも不図示）。
制御部２０は、装置本体各部の動作を制御する。また、制御部２０は、バランス調整部１４のＦＥ信号を監視する。また、制御部２０は、スイッチ１８の接点の切り替えも行う。フォーカスサーボがオフの時、制御部２０はスイッチ１８を接点ｂに向け、フォーカスサーボがオンの時、制御部２０はスイッチ１８を接点aに向ける。
【００３６】
駆動パルス発生回路２１は、制御部２０の指示に基づいて、レイヤージャンプ等のための駆動パルスを発生し、駆動パルスをスイッチ１８の接点ｂを通じてアクチュエータドライバ１９に出力する。
【００３７】
なお、RFアンプ１３、フォーカスサーボ回路１６、アクチュエータドライバ１９、制御部２０、駆動パルス発生回路２１、及びアクチュエータドライバ１９が、本発明の「フォーカスサーボ手段」に相当する。また、制御部２０及びバランス調整部１４が、本発明の「オフセット手段」に相当する。また、フォーカスアクチュエータ１５が、本発明の「第１移動手段」に相当する。また、リードスクリュー８と、支持部材９と、及びステッピングモータ１０が、本発明の「第２移動手段」に相当する。
【００３８】
この実施形態では、各情報記録層に対する情報の再生を行う前の第１の場面と、各情報記録層に対する情報の再生を行う第２の場面と、に分かれる。ここで、記録、読取、及び消去は同様の動作となるため、記録、読取、及び消去を代表して再生について説明する。まず、第１の場面から説明する。
【００３９】
図３は、本発明の実施形態である光ディスク装置の制御部が光ディスクセット時に行う初期動作を示すフローチャートである。この動作は、ユーザが光ディスク１００を装置本体にセットした時の動作である。
【００４０】
まず、制御部２０は、補正レンズ７を中間位置に移動させるようモータドライバ２２に指示する（S１）。この中間位置は、予め算出した第一層Ｌ０の最適な球面収差の第一補正値と、予め算出した第二層Ｌ１の最適な球面収差の第二補正値と、の中間値に対応する位置である。そして、この中間値で補正することにより、補正レンズ７は、第一層Ｌ０における球面収差が最適となる位置と、第二層Ｌ１における球面収差が最適となる位置と、の中間位置に移動する。
なお、第一補正値および第二補正値は、電流値又は電圧値などであり、中間値も予め算出されてフラッシュメモリ２３に予め格納されている。
【００４１】
そして、制御部２０は、対物レンズ４を光ディスクの情報記録面と接離する方向へ移動させる駆動パルスを発生させるよう駆動パルス発生回路２１に指示し、バランス調整部１４に入力されるFE信号を測定する（S２）。駆動パルスはスイッチ１８の接点ｂを介してアクチュエータドライバ１９に伝送される。これにより、図４（A）に示す波形のFE信号が生成され、バランス調整部１４に入力する。
【００４２】
図４は、補正レンズを中間位置に変位させた状態で得られるフォーカスエラー信号の波形を示す図である。対物レンズ４の移動に伴い、対物レンズ４と光ディスク１００の情報記録面との相対距離の変化に応じて、ＦＥ信号の出力値は記録層毎に２つのＳ字状の曲線を描く。さらに、第一層Ｌ０に対して合焦する位置P２から第二層Ｌ１に対して合焦する位置P５に移行する間にはＦＥ信号が出ない不定区間がある。図４（A）では、FE信号の波形の上下の振幅のバランスが第一層Ｌ０で非常に偏っている。第一層Ｌ０では、上の振幅であればΔXがフォーカスサーボの可能な範囲（換言するとフォーカス引き込み可能な範囲）を意味する。そのため、第一層Ｌ０ではフォーカスサーボの可能な範囲ΔXが狭く、レイヤージャンプの直前にフォーカスサーボが外れてしまったり、レイヤージャンプの直後にフォーカスサーボをオンできなかったりするおそれがある。このようにフォーカスサーボが外れたりフォーカスサーボをオンできなかったりすると、光ディスク１００に対する情報の再生が中断されてしまう。
なお、対物レンズ４が地点Ｐ０に位置する時、対物レンズ４と光ディスク１００の情報記録面とが最も離れ、対物レンズ４が地点Ｐ７に来た時、対物レンズ４と光ディスク１００の情報記録面とが衝突する。
【００４３】
制御部２０は、S２の測定結果から、FE信号の上下の振幅のバランスが第一層Ｌ０および第二層Ｌ１で同じになるFBAL値をバランス値として算出する（S３）。バランス値の算出方法について詳述する。まず第１算出方法から説明すると、制御部２０は、第一層Ｌ０のFE信号の上下の振幅の内小さい方の振幅ΔX（ｍV）と、第二層Ｌ１のFE信号の上下の振幅の内大きい方の振幅ΔY（ｍV）と、に基づいて、バランス値を算出する。例えば制御部２０は、「（ΔX−ΔY）÷２＝バランス値（ｍV）」の式でバランス値（例えば−２０ｍV）を算出する。次に第２算出方法では、制御部２０は、第一層Ｌ０のFE信号を調べ、「（地点P1における上の振幅ΔX）÷（地点P３における下の振幅）＝第一層Ｌ０のバランス（％）」を算出する。さらに、制御部２０は、第二層Ｌ１のFE信号を調べ、「（地点P４における上の振幅）÷（地点P６における下の振幅ΔY）＝第二層Ｌ１のバランス（％）」を算出する。最後に、制御部２０は、「（第一層Ｌ０のバランス）−（第二層Ｌ１のバランス）＝バランス値（％）」の式でバランス値を算出する。
なお、後述の図５のS１０６においてオフセット電圧の電圧値をバランス値に調整すると、オフセット電圧が印加されたFE信号は図４（B）に示す波形となる。
【００４４】
最後に、制御部２０は、算出したFBAL値をフラッシュメモリ２３に保存する（S４）。そして、制御部２０は、ユーザからの操作入力を待つ入力待ち状態に移行する。
【００４５】
次に、第２の場面について説明する。
図５は、本発明の実施形態である光ディスク装置の制御部が再生時に行う動作を示すフローチャートである。この動作は、光ディスク１００が装置本体にセットされている状態でユーザが再生キーを押下した時の動作である。
【００４６】
制御部２０は、第一層Ｌ０へのフォーカス引き込みを行い、フォーカスサーボをオンする（S１０１）。これにより、スイッチ１８の接点aを介してフォーカスサーボが行われる。
【００４７】
制御部２０は、補正レンズ７の位置を変化させるようモータドライバ２２に指示し、第一層Ｌ０における球面収差を補正する（S１０２）。
【００４８】
制御部２０は、第一層Ｌ０に記録されている画像データ及び音声データの再生を開始する（S１０３）。
【００４９】
そして、制御部２０は、第一層Ｌ０から第二層L１へレイヤージャンプを行うかどうか判定する（S１０４）。この判定は、例えば、光ディスク１００の第一層Ｌ０の再生中に、ユーザがタイムサーチキーで第二層L１に記録されている映像音声データの再生を操作部２４で指示した時や、第一層Ｌ０の再生が終了して第二層L１の再生を開始する時に判定肯定となる。図５では、合焦位置を光ディスク１００の一方の層の記録面から他方の層の記録面に移動させる場面を代表して、第一層Ｌ０の記録面から第二層L１の記録面に移動させる場面について説明する。
【００５０】
レイヤージャンプを行う場合、制御部２０は、S４で保存したFBAL値をフラッシュメモリ２３から読み取る（S１０５）。
【００５１】
制御部２０は、バランス調整部１４で印加するオフセット電圧の電圧値を、読み取ったFBAL値に調整する（S１０６）。
【００５２】
その後、制御部２０は、補正レンズ７を中間位置に移動させるようモータドライバ２２に指示する（S１０７）。これにより、バランス調整部１４でオフセット電圧が印加されたFE信号は図４（B）に示す波形となる。図４（B）では、FE信号の波形の上下の振幅のバランスが第一層Ｌ０及び第二層L１で同じになっており、第一層Ｌ０におけるフォーカスサーボの可能な範囲ΔXが広くなっている。そのため、レイヤージャンプの直前のS１０７でフォーカスサーボが外れてしまうのを防止できる。よって、レイヤージャンプの直前において、光ディスク１００に対する情報の再生が中断するのを防止できる。
【００５３】
制御部２０は、スイッチ１８を接点ｂに切り替え、第一層Ｌ０に対するフォーカスサーボをオフする（S１０８）。
【００５４】
そして、制御部２０は、駆動パルス発生回路２１からジャンプパルスを発生させ、第一層Ｌ０から第二層L１へレイヤージャンプを実行する（S１０９）。ジャンプパルスは、スイッチ１８の接点ｂを介してアクチュエータドライバ１９に入力する。第一層Ｌ０から不定区間が過ぎ、所定の閾値を超えるＲＦ信号が得られると、区間Ｐ４〜Ｐ６で、フォーカス引き込み可能範囲を示すＦＯＫ信号が得られる。
【００５５】
地点Ｐ５でＦＥ信号がフォーカスゼロクロスすると、制御部２０は、地点Ｐ５を目安として、第二層L１に対するフォーカスサーボをオンする（S１１０）。これにより、スイッチ１８の接点aを介してフォーカスサーボが行われる。
【００５６】
制御部２０は、補正レンズ７の位置を変化させるようモータドライバ２２に指示し、第二層L１における球面収差を補正する（S１１１）。
【００５７】
制御部２０は、第二層L１に記録されている画像データ及び音声データの再生を開始する（S１１２）。
【００５８】
以後、制御部２０は、S１０４と同様に、第二層L１から第一層Ｌ０へレイヤージャンプを行うかどうか判定する。そして、レイヤージャンプを行う場合、制御部２０は、S１０５からS１０８までの動作と同じ動作を行い、第二層L１から第一層Ｌ０へレイヤージャンプを行う。その後、制御部２０は、第一層Ｌ０に対するフォーカスサーボをオンする。上記と同様に、図４（B）では、FE信号の波形の上下の振幅のバランスが第一層Ｌ０及び第二層L１で同じになっており、第一層Ｌ０におけるフォーカスサーボの可能な範囲ΔXが広くなっている。そのため、第二層L１から第一層Ｌ０へのレイヤージャンプの直後にフォーカスサーボをオンできなかったりするのを防止できる。よって、レイヤージャンプの直後において、光ディスク１００に対する情報の再生が中断するのを防止できる。
【００５９】
以上より、レイヤージャンプの直前または直後において、光ディスク１００に対する情報の再生が中断するのを防止できる。
【００６０】
なお、オフセット電圧をバランス値に調整するのを禁止するか許可するかを切り替える切替キーを操作部２４に設けても構わない。これにより、ユーザは、オフセット電圧をバランス値に調整するかどうかを自分の使用方法に応じて切替キーで切り替えることができる。従って、ユーザの使い勝手を向上できる。
【図面の簡単な説明】
【００６１】
【図１】本発明の実施形態である光ディスク装置の主要部の構成を示すブロック図
【図２】図１におけるピックアップの内部の構成を加えたブロック図
【図３】本発明の実施形態である光ディスク装置の制御部が光ディスクセット時に行う初期動作を示すフローチャート
【図４】補正レンズを中間位置に変位させた状態で得られるフォーカスエラー信号の波形を示す図
【図５】本発明の実施形態である光ディスク装置の制御部が再生時に行う動作を示すフローチャート
【符号の説明】
【００６２】
３…カバー層
４…対物レンズ
５…レーザーダイオード
６…補正レンズ
７…補正レンズ
８…リードスクリュー
９…支持部材
１０…ステッピングモータ
１１…ビームスプリッタ
１２…受光センサ
１３…ＲＦアンプ
１４…バランス調整部
１５…フォーカスアクチュエータ
１６…フォーカスサーボ回路
１７…モータドライバ
１８…スイッチ
１９…アクチュエータドライバ
２０…制御部
２１…駆動パルス発生回路
２２…モータドライバ
２３…フラッシュメモリ
２４…操作部
２６…ピックアップ
２７…ステッピングモータ
２８…リードスクリュー
３０…再生部
１００…光ディスク
１０１…光ディスク装置
【図１】
2010118093.tif 000003
【図２】
2010118093.tif 000004
【図３】
2010118093.tif 000005
【図４】
2010118093.tif 000006
【図５】
2010118093.tif 000007